(57)【要約】【課題】リフレクタを用いることなく、回転表示体の表示面を均一の輝度で面発光させることが可能な回転式役物装置の提供。【解決手段】役物装置ユニット２６は、回転基軸４０と回転表示体３９と配線基板４１と複数のＬＥＤ４２とを備える。回転基軸４０は、遊技機本体側に固定的に支持され、前後方向と交叉する所定方向に沿って延びる。回転表示体３９は、回転基軸４０が内部を挿通する筒状の表示面部７３を有し、回転基軸４０を中心として遊技機本体側に回転自在に支持される。配線基板４１は、回転表示体３９の内部で回転基軸４０の後方に配置されて回転基軸４０に固定される。複数のＬＥＤ４２は、回転基軸４０の軸心Ｓよりも後方に配置されて配線基板４１の前面４１ａ上に実装され、前方の表示面部７３の内面へ向けて光を照射する。【選択図】図７
2014171491.tif 000002
【特許請求の範囲】
【請求項１】
遊技機本体側に固定的に支持され、前後方向と交叉する所定方向に沿って延びる回転基軸と、
前記回転基軸が内部を挿通する筒状の透過性表示面部を有し、前記回転基軸を中心として前記遊技機本体側に回転自在に支持される回転表示体と、
前記回転表示体の内部で前記回転基軸の後方に配置されて該回転基軸に固定される配線基板と、
前記回転基軸の軸心よりも後方に配置されて前記配線基板の前面上に実装され、前方の前記透過性表示面部の内面へ向けて光を照射する複数の発光体とを備える
ことを特徴とする回転式役物装置。
【請求項２】
請求項１に記載の回転式役物装置であって、
前記回転表示体の回転位置を光学的に検出する光学センサを備え、
前記光学センサは、前記配線基板の後面上に実装される
ことを特徴とする回転式役物装置。
【請求項３】
請求項１又は請求項２に記載の回転式役物装置であって、
前記配線基板は、前記回転表示体の外部へ延びて前記回転式役物装置から露出する延長端部を有し、
前記延長端部の一面上に、電力供給線及び信号線が接続されるコネクタが実装される
ことを特徴とする回転式役物装置。
【請求項４】
請求項１〜請求項３の何れかに記載の回転式役物装置であって、
前記透過性表示面部は、前記回転基軸の軸心から略等距離で且つ該軸心と略平行な複数の稜線部によって区画され、前記軸心から前記稜線部までの距離よりも長い曲率半径を有する曲面状の複数の表示面を有する
ことを特徴とする回転式役物装置。
【請求項５】
請求項１〜請求項４の何れかに記載の回転式役物装置であって、
前記配線基板の前面は、前方から視て前記回転基軸と重なる重複領域と、該重複領域を挟む両側の非重複領域とを有し、
前記複数の発光体は、前記両側の非重複領域の双方に配置される
ことを特徴とする回転式役物装置。
【発明の詳細な説明】
【技術分野】
【０００１】
本発明は、パチンコ機やスロットマシンなどの遊技機に装備される回転式役物装置に関する。
【背景技術】
【０００２】
パチンコ機に代表される遊技機の中には、遊技盤の遊技領域に可変表示装置や始動入賞口やアタッカ装置等を設け、遊技領域に向けて発射された遊技球が始動入賞口に入賞したことを契機に電子抽選を行い、その抽選結果に基づいて可変表示装置が図柄の変動表示および変動停止を行うようにした機種が数多く存在する。電子抽選の抽選結果には当りとハズレがあり、抽選結果が当りの場合には、可変表示装置の表示画面に特定の図柄が表示され、通常モードから特別遊技モードへと移行する。この特別遊技モードでは、アタッカ装置の開閉扉が開放動作して大入賞口を露呈させるので、露呈した大入賞口に遊技球が入りやすくなって遊技者は多くの賞球を獲得できるようになる。
【０００３】
この種のパチンコ機において、可動態様を変化させることができる可動体を可変表示装置の周囲の任意位置に配置し、電子抽選の抽選結果に基づく可変表示装置の表示内容と可動体の可動態様とを組み合わせることにより、興趣性の高い演出を行うようにした役物装置が広く採用されている。可動体はモータ等を駆動源として種々の動きを行うようになっており、その一例として、ドラム形状の回転表示体（可動体）をモータを駆動源として回転および停止することにより、回転表示体に形成された複数種類の図柄表示面を遊技盤の前面に露出させるようにした回転式役物装置が知られている。
【０００４】
かかる回転式役物装置において、遊技盤の前面に露出した図柄表示面を照光させるようにすれば、回転表示体の回転・停止という可動演出だけでなく発光演出も付加されるため、従来より、図柄表示面を裏側から照光する照光手段を備えたものが知られている（例えば、特許文献１参照）。特許文献１の回転式役物装置では、円筒状の図柄ドラムの外周面に複数の開口が形成されていると共に、複数種類の図柄表示面を有する樹脂フィルムが各開口を覆うように図柄ドラムの外周面に取り付けられている。また、図柄ドラムには外周面から中心に向かって延びる複数本のスポーク片が形成されており、各スポーク片が集結する中心位置にモータの回転軸が取り付けられている。このモータは配線基板上に搭載されており、配線基板は図柄ドラムの軸心に対して直交するように配置されている。また、配線基板には複数のＬＥＤ（発光体）とリフレクタが搭載されており、各ＬＥＤは樹脂フィルムの内周面と所定間隔を保つように円弧状に配列されている。リフレクタには図柄ドラムの円周に近似した形状の反射面が設けられており、各ＬＥＤから発せられる光は反射面で反射して樹脂フィルムの裏面に照射される。
【先行技術文献】
【特許文献】
【０００５】
【特許文献１】特開２００４−３３３０６号公報
【発明の概要】
【発明が解決しようとする課題】
【０００６】
特許文献１の回転式役物装置では、図柄表示面を均一の輝度で明輝照光させるために複数の主反射面や補助反射面を有するリフレクタを設ける必要があり、構造の複雑化やコストの上昇を招く。また、図柄ドラムの軸心に対して直交配置された配線基板に複数のＬＥＤ（発光体）が実装されているため、図柄ドラムの幅寸法（軸線方向の長さ）が長くなると、配線基板から離れた箇所の図柄表示面にＬＥＤの光が届きにくくなり、図柄表示面に幅方向の輝度ムラが発生し易くなる。
【０００７】
本発明は、上記実情に鑑みてなされたものであって、リフレクタを用いることなく、回転表示体の表示面を均一の輝度で面発光させることが可能な回転式役物装置の提供を目的とする。
【課題を解決するための手段】
【０００８】
上記目的を達成するため、本発明の第１の態様は、遊技機に設けられる回転式役物装置であって、回転基軸と回転表示体と配線基板と複数の発光体とを備える。回転基軸は、遊技機本体側に固定的に支持され、前後方向と交叉する所定方向に沿って延びる。回転表示体は、回転基軸が内部を挿通する筒状の透過性表示面部を有し、回転基軸を中心として遊技機本体側に回転自在に支持される。配線基板は、回転表示体の内部で回転基軸の後方に配置されて回転基軸に固定される。複数の発光体は、回転基軸の軸心よりも後方に配置されて配線基板の前面上に実装され、前方の透過性表示面部の内面へ向けて光を照射する。
【０００９】
上記構成では、複数の発光体が発光して前方の透過性表示面部の内面へ向けて光を照射すると、筒状の透過性表示面部のうち前側の外面（表示面）が内側から照光されて面発光する。ここで、複数の発光体は、回転基軸の軸心よりも後方に配置されているので、複数の発光体を回転基軸の軸心よりも前方に配置した場合に比べて、発光体から前方の透過性表示面部の内面までの距離を長く設定することができる。例えば、発光体を回転基軸よりも後方に配置した場合、発光体から前方の透過性表示面部の内面までの距離を、少なくとも回転基軸の軸径分以上長く設定することができる。従って、回転式役物装置の配置場所に前後方向のスペース上の余裕が少ない等の理由から小径の回転表示体を用いなければならない場合であっても、発光体から前方の透過性表示面部の内面までの距離を長く設定することができ、リフレクタを別途設けることなく、表示面を均一の輝度で面発光させることができる。
【００１０】
本発明の第２の態様は、第１の態様の回転式役物装置であって、光学センサを備える。光学センサは、前記配線基板の後面上に実装され、回転表示体の回転位置を光学的に検出する。
【００１１】
上記構成では、配線基板の前面及び後面のうち、発光体が配置されていない後面上に光センサを実装したので、発光体の発光に起因した光センサの誤検出の発生を防止することができる。
【００１２】
本発明の第３の態様は、第１又は第２の態様の回転式役物装置であって、配線基板は、回転表示体の外部へ延びて回転式役物装置から露出する延長端部を有する。延長端部の一面上には、電力供給線及び信号線が接続されるコネクタが実装される。
【００１３】
上記構成では、電力供給線及び信号線を、回転表示体の外部へ延びて回転式役物装置から露出する延長端部のコネクタに接続すればよいので、回転表示体の内部に配線を行う必要がなく、配線作業性の向上及び構造の簡略化が可能となる。
【００１４】
本発明の第４の態様は、第１〜第３の何れかの態様の回転式役物装置であって、透過性表示面部は、曲面状の複数の表示面を有する。複数の表示面は、回転基軸の軸心から略等距離で且つ該軸心と略平行な複数の稜線部によって区画され、軸心から稜線部までの距離よりも長い曲率半径を有する。
【００１５】
上記構成では、複数の表示面は、軸心から稜線部までの距離よりも長い曲率半径を有しており、稜線部を通る円周面よりも平面に近い湾曲面となる。従って、小径の回転表示体を用いなければならない場合であっても、視認し易い形態の表示面を遊技者に提示することができる。
【００１６】
本発明の第５の態様は、第１〜第４の何れかの態様の回転式役物装置であって、配線基板の前面は、前方から視て回転基軸と重なる重複領域と、該重複領域を挟む両側の非重複領域とを有し、複数の発光体は、両側の非重複領域の双方に配置される。
【００１７】
上記構成では、複数の発光体を非重複領域に配置しているので、回転基軸の陰に発光体が隠れてしまうことがなく、表示面を内側から効率良く照光することができる。また、複数の発光体を両側の非重複領域の双方に配置しているので、表示面をより均一な輝度で面発光させることができる。
【発明の効果】
【００１８】
本発明によれば、リフレクタを用いることなく、回転表示体の表示面を均一の輝度で面発光させることができる。
【図面の簡単な説明】
【００１９】
【図１】本発明の実施形態例に係るパチンコ機の斜視図である。
【図２】パチンコ機の前面扉を開放した状態を示す斜視図である。
【図３】パチンコ機の背面図である。
【図４】パチンコ機に備えられる遊技盤の正面図である。
【図５】役物装置ユニットの分解斜視図である。
【図６】図４の要部拡大斜視図である。
【図７】役物装置ユニットの横断面図である。
【図８】従動側カバーを取り外した役物装置ユニットの斜視図である。
【図９】図８の状態からベースカバーをさらに取り外した役物装置ユニットの斜視図である。
【図１０】分割ドラムの１つを取り外した役物装置ユニットの正面図である。
【図１１】分割ドラムの１つを取り外した役物装置ユニットの斜視図である。
【図１２】駆動側カバーを取り外した役物装置ユニットの斜視図である。
【図１３】分割ドラムの１つを取り外した回転表示体の斜視図である。
【図１４】回転表示体を駆動側から視た側面図である。
【発明を実施するための形態】
【００２０】
発明の実施の形態について図面を参照して説明する。なお、以下の説明において、前方とは、遊技機から該遊技機に対面して遊技を行う遊技者へ向かう方向を意味し、左右とは、遊技者から遊技機を視た状態での左右を意味する。また、図中において、ＦＲは前方を示し、ＵＰは上方を示す。
【００２１】
図１及び図２に示すように、本発明の実施形態例に係る遊技機（パチンコ機）は、遊技場の島設備に設置される縦長方形状の機枠１と、機枠１に扉状に開閉自在に取り付けられた機器本体２と、機器本体２の前面に扉状に開閉自在に取り付けられた前面扉３等を備えており、前面扉３にはガラスやプラスチック等からなる透明板４が取り付けられている。
【００２２】
機枠１の左下隅部には大型のスピーカ５が配設されており、このスピーカ５は前面扉３の切り欠き内に位置して前方に露出している。機器本体２の上部内側には後述する遊技盤６が収納されており、この遊技盤６の盤面（前面）は透明板４を透して外部から目視可能となっている。また、機器本体２の右側枠部にはシリンダ錠７ａを有する施錠装置７が設置されており、図示省略されているが、この施錠装置７は機器本体２の裏面に配置された後部施錠杆と機器本体２の前面に配置された前部施錠杆とを備えている。常態では、施錠装置７の後部施錠杆によって機枠１に対して機器本体２が施錠されると共に、前部施錠杆
によって機器本体２に対して前面扉３が施錠されている。そして、シリンダ錠７ａの鍵穴に図示せぬ鍵を差し込み、この鍵を一方向（例えば時計回り）へ回動すると、後部施錠杆が下動して機器本体２が開錠されるようになっている。また、シリンダ錠７ａの鍵穴に差し込んだ鍵を他方向（反時計回り）へ回動すると、前部施錠杆が上動して前面扉３が開錠されるようになっている。
【００２３】
前面扉３には遊技盤６の盤面に対向する大きな開口３ａが開設されており、この開口３ａは透明板４によって塞がれている。前面扉３の前面上部には比較的小型のスピーカ８が左右に１個ずつ配設されており、これらスピーカ８と前述した大型のスピーカ５とによって遊技に関する様々な効果音を発するようになっている。さらに、前面扉３の前面下部には、遊技盤６の裏面に配設された賞球払出装置（後述する）から払い出された遊技球を収容する上段受皿９と、上段受皿９から排出された遊技球を収容する下段受皿１０と、遊技者による押下操作が可能なプッシュ釦１１等が設けられており、上段受皿９の右側方には
操作ハンドル１２が配設されている。
【００２４】
機枠１の左側枠部には上側軸受け体１３と下側軸受け体１４が固着されており、これら両軸受け体１３，１４に本体枠２の左側枠部の上下両端に設けた第１ピン（図示省略）を軸支することによって、本体枠２を機枠１に対して開閉自在に支持する第１ヒンジ機構が構成されている。一方、前面扉３の左側枠部の上下両端には第２ピン（図示省略）が設けられており、これら両第２ピンを本体枠２の左側枠部に突設した上下の支持板２ａに軸支することによって、前面扉３を本体枠２に対して開閉自在に支持する第２ヒンジ機構が構成されている。また、本体枠２の上部内側は遊技盤６の収納スペースとなっており、この
収納スペースの下方は前面扉３によって覆い隠される設置部２ｂとなっている。設置部２ｂ内の下部中央には遊技球を遊技領域９に向けて発射する発射装置１５が配設されており、前述した操作ハンドル１２の回動操作量に応じて発射装置１５の発射強度が調整されるようになっている。
【００２５】
図３に示すように、遊技盤６の裏面側には、遊技に関する主要な処理を行う主制御処理部１６と、主制御処理部１６からの指令を受けて前述したスピーカ５，８や後述する可変表示装置や役物装置ユニット等の各種装置を制御する副制御処理部１７と、前述した賞球払出装置１８と、主制御処理部１６からの指令を受けて賞球払出装置１８を制御する払出制御処理部１９と、操作ハンドル１２の回動操作量に応じて前記発射装置１５の作動を制御する発射制御処理部２０と、賞球数や大当り回数等の各種情報を遊技場のホールコンピュータに出力する外部端子基板２１等が設けられている。主制御処理部１６は、ＣＰＵ（Central Processing Unit）と、予め定められた制御プログラムを格納するＲＯＭ（Read Only Memory）と、生成された処理情報の一時記憶および記憶した情報の削除を行うＲＡＭ（Random Access Memory）等が実装された制御基板（メイン基板）とを備えており、このＣＰＵがＲＯＭに格納された各種プログラムやデータを読み込んで実行することにより、遊技に関する主要な処理が行われる。
【００２６】
図４に示すように、遊技盤６の前面はガイドレール２２等によって略円形状に区画された遊技領域２３となっており、遊技者が操作ハンドル１２を任意角度まで回動操作すると、前記発射装置１５が上段受皿９に保留された遊技球を遊技領域２３に向けて連続的に打ち出すようになっている。遊技領域２３の上部中央付近にはセンター役物２４が配置されており、このセンター役物２４は、中央部に矩形状の開口部２５ａを有する装飾枠２５と、装飾枠２５の下壁部に配設された後述する役物装置ユニット（回転式役物装置）２６と、装飾枠２５の裏面側に配置された可変表示装置２７とを具備している。可変表示装置２７は液晶パネル（ＬＣＤ）からなり、その表示画面２７ａは装飾枠２５の開口部２５ａから露出している。
【００２７】
装飾枠２５には役物装置ユニット２６の前方位置で左右方向へ延びるステージ２８が設けられており、このステージ２８の中央部には前方側へ傾斜する誘導溝２８ａが形成されている。また、装飾枠２５の左側壁には中空構造のワープ通路２９が形成されており、このワープ通路２９の両端は遊技領域２３とステージ２８に向けてそれぞれ開口している。したがって、センター役物２４の左側の遊技領域２３を流下する遊技球がワープ通路２９に入球すると、その遊技球はワープ通路２９の内部を通ってステージ２８に排出された後、ステージ２８上を転動して誘導溝２８ａへと導かれる。
【００２８】
ステージ２８の誘導溝２８ａの真下位置には上面を開口した単純構造の第１始動入賞口３０が配設されており、ステージ２８上を転動して誘導溝２８ａから落下した遊技球が高い確率で第１始動入賞口３０に入賞するようになっている。第１始動入賞口３０の左右の斜め下方にはそれぞれ第２始動入賞口３１が配設されており、これらの第２始動入賞口３１は一対の可動片を有する電動チューリップ構造の始動入賞口となっている。そして、これら第１および第２始動入賞口３０，３１のいずれか一方に遊技球が入賞すると、それを契機として特別図柄に係る電子抽選が行われ、その抽選結果に基づいて可変表示装置２７の表示画面２７ａ上で演出用図柄の変動表示および停止表示が行われる。また、装飾枠２５の右下隅部にスルーチャッカー３２が配設されており、遊技球がこのスルーチャッカー３２を通過すると、それを契機として普通図柄に係る電子抽選が行われ、その抽選結果が当りの場合に第２始動入賞口３１の両可動片を一時的に開放して遊技球の入賞を許可するようになっている。
【００２９】
さらに、ステージ２８の右斜め下方位置にはアタッカ装置３３が配設されており、このアタッカ装置３３は内部の大入賞口を開閉可能な横長形状の開閉扉を有している。アタッカ装置３３は、第１および第２始動入賞口３０，３１のいずれか一方に遊技球が入賞することを契機に行われる特別図柄に係る電子抽選の結果、当りとなって大当り遊技状態（特別遊技モード）へ移行した場合に作動される装置である。具体的には、特別図柄の抽選結果が当りの場合、アタッカ装置３３の開閉扉が複数回繰り返して開放動作することにより、大入賞口を露呈させて遊技球の入賞を許可するようになっている。開閉扉は１回の開放動作（１ラウンド）について例えば３０秒経過するまで、あるいは遊技球が大入賞口に例えば１０個入るまで開放状態を維持し、かかる開放動作を例えば１５回繰り返した後に大当り遊技が終了する。
【００３０】
その他、遊技領域２３には、遊技球の払い出しのみを行う複数の一般入賞口３４や、遊技球の流下経路を担う風車３５と複数本の遊技釘３６等が配設されており、いずれの始動入賞口３０，３１や一般入賞口３４にも入賞しなかった遊技球は、遊技領域２３の最下端部に設けられたアウト口３７から遊技盤６の裏面側に排出されるようになっている。
【００３１】
役物装置ユニット２６は、前述した特別図柄に係る電子抽選の結果を可動体の可動態様によって遊技者に示唆することができる装置である。役物装置ユニット２６は、図５〜図１２に示すように、パチンコ機本体側（遊技盤６）に固定されるケース体３８と、ケース体３８に固定的に支持される回転基軸４０と、回転基軸４０を中心としてパチンコ機本体側（ケース本体３８）に回転自在に支持される回転表示体３９と、回転基軸３９に固定される配線基板４１と、配線基板４１の前面４１ａに実装される複数（本実施形態例では８個）のＬＥＤ（発光体）４２と、回転表示体３９の回転位置（初期位置）を光学的に検出するフォトセンサ（光学センサ）４６と、回転表示体３９の駆動源であるモータ４４と、モータ４４の駆動回転を回転表示体３９へ伝達するギア機構４５とによって主に構成されている。役物装置ユニット２６が配設される装飾枠２５の下壁部は、前後方向のスペース上の余裕が少ない部位であるため、回転表示体３９の径方向の大きさも自ずと制限される。なお、本実施形態例では、モータ４４の駆動がギア機構４５を介して回転表示体３９の左側に入力するため、左側を駆動側とし、右側を従動側として説明する。
【００３２】
回転基軸４０は、ケース体３８及び配線基板４１との相対回転を防止するため、非円形断面の棒体状であり、本実施形態例では六角柱状に形成されている。
【００３３】
ケース体３８は、ベースカバー４７と駆動側カバー４８と回転支持板４９と従動側外カバー５０とから構成される。
【００３４】
ベースカバー４７は、前方が開口する半円筒状のメインカバー部５１と、メインカバー部５２の駆動側端部から下方へ一体的に延びるギアカバー部５２と、メインカバー部５２の従動側端面を塞ぐ従動側内カバー部５３とを一体的に有し、メインカバー部５１が遊技機側に固定される。メインカバー部５１の前方の開口範囲は、後述する分割ドラム７０の１つを露出させる大きさに設定されている。
【００３５】
駆動側カバー４８は、複数（本形態例では３本）のビス５４によってベースカバー４７の駆動側端面に締結固定され、役物装置ユニット２６の駆動側端面を覆う。メインカバー４７に固定された駆動側カバー４８の上部４８ａは、メインカバー部５２の駆動側端面を塞ぎ、下部４８ｂは、ギアカバー部５２との間にギア収容空間５５（図１２参照）を区画する。
【００３６】
回転支持板４９は、略円形の外周を有する円板状であり、従動側内カバー部５２の内面（右側面）に対向配置され、複数（本形態例では２本）のビス５６によって従動側内カバー部５２に締結固定される。従動側外カバー５０は、従動側内カバー部５２の外面（左側面）に対向配置され、複数（本形態例では２本）のビス５７によって従動側内カバー部５２に締結固定され、役物装置ユニット２６の従動側端面を覆う。
【００３７】
駆動側カバー４８と回転支持板４９と従動側内カバー部５２とには、回転基軸４０が挿通されて回転方向に係合する六角形状の軸係合孔５８，５９，６０がそれぞれ形成されている。駆動側カバー４８の軸係合孔５７は回転基軸４０の駆動側を、回転支持板４９及び従動側内カバー部５２の軸係合孔５８，５９は回転基軸４０の従動側を、それぞれ固定的に（回転を阻止した状態で）支持する。駆動側及び従動側がそれぞれケース体３８によって支持された回転基軸４０は、前後方向と交叉する所定方向（本実施形態例では斜め横方向）に沿って延びる。回転基軸４０の軸方向の移動は、駆動側カバー４８及び従動側外カバー５０によって阻止され、回転基軸４０は、ケース体３８によって回転不能な状態で所定位置に保持される。
【００３８】
図５、図１３及び図１４に示すように、回転表示体３９は、周方向に沿って略３等分に分割される３つの分割ドラム７０と、駆動側連結板７１と、従動側連結環７２とから構成される。各分割ドラム７０は、湾曲板状で光透過性を有する表示面部（透過性表示面部）７３と、表示面部７３の駆動側端部から径方向内側へ曲折する板状の駆動側連結部７４と、表示面部７３の従動側端部から径方向内側へ曲折する板状の従動側連結部７５とを一体的に有する。駆動側連結部７４は、複数（本形態例では３本）のビス７６によって駆動側連結板７１の内側面（右側面）にそれぞれ締結固定される。従動側連結部７５には、２つの位置決め孔７７と１つロック孔７８とがそれぞれ形成され、従動側連結環７２には、位置決め孔７７に対応する２つの位置決め突起７９とロック孔７８に対応する１つのロック突起８０とがそれぞれ突設されている。位置決め突起７９を対応する位置決め孔７７に挿入しながらロック突起８０を対応するロック孔７８に挿入して、ロック突起８０をロック孔７８に係合させることによって、従動側連結部７５は、従動側連結環７２の内側面（左側面）にそれぞれ固定される。各分割ドラム７０の駆動側連結部７４及び従動側連結部７５を駆動側連結板７１及び従動側連結環７２にそれぞれ固定することによって、３つの表示面部７３が全体として筒状を形成し、各表示面部７３の外面がそれぞれ１／３略円筒状の図柄表示面７０ａとなる。
【００３９】
分割ドラム７０はインモールド成形によって形成された樹脂成形品からなる。駆動側連結部７４及び従動側連結部７５は、それぞれ樹脂材料のみで成形されているが、図柄表示面７０ａには分割ドラム７０ごとに異なる図柄が施されており、このような分割ドラム７０はシングルインモールドと呼ばれる成形方法を用いて得られる。かかるインモールド成形方法は、予め所望の図柄を印刷（または蒸着）したベースフィルムを射出成形機の金型内に挟み込み、射出成形の熱と圧力によってベースフィルム上の図柄を成形品に転写させるという成形方法であり、成形品の外表面にベースフィルムから剥がれた図柄を転写箔として形成することができる。また、成形品の内表面（表示面部７３の内面）にレンズカット形状の凹凸部８１が形成されており、この凹凸部８１によってＬＥＤ４２からの光が屈折されるようになっている。凹凸部８１は金型のキャビティ内面に設けられた凹凸形状を成形品に転写することによって形成され、インモールド成形によって外表面の図柄（転写箔）と内表面のレンズカット加工（凹凸部８１）を同時に形成することができる。
【００４０】
なお、図柄表示面７０ａの外表面において、遮光性のインクや金属蒸着膜で形成された転写箔は遮光性領域となり、転写箔の存在しない部分は光透過領域となり、光透過インクで形成された転写箔も光透過領域となり、この光透過領域に対応する成形品の内表面に凹凸部８１が形成されている。また、転写箔が存在せずに成形品の外表面が露出している光透過領域では、凹凸部８１を成形品の内表面だけでなく外表面にも形成することができ、その場合、凹凸部８１のレンズカット形状を成形品の表裏両面で異ならせることも可能である。
【００４１】
このようにして成形された３つの分割ドラム７０は、各分割ドラム７０の駆動側連結部７４及び従動側連結部７５を駆動側連結板７１及び従動側連結環７２にそれぞれ固定することによって、３つの図柄表示面７０ａが周方向に隙間なく連続する筒状の回転表示体３９として組み立てられる。回転表示体３９の駆動側端部には、３つの駆動側連結部７４によって軸挿通孔９０が区画形成されるとともに、駆動側連結板７１に軸挿通孔９１が形成され、これらの軸挿通孔９０，９１を介して回転表示体３９の内部と外部とが連通する（図１３参照）。回転表示体３９の従動側端部には、駆動側の軸挿通孔９０，９１よりも大きい円形状の開口孔９２が３つの従動側連結部７５によって区画形成され、開口孔９２と従動側連結環７２の内径部とを介して回転表示体３９の内部と外部とが連通する（図１３参照）。
【００４２】
駆動側連結板７１の外側面（左側面）には、外周にギアが形成された円筒状の回転体ギア８２が一体的に突設され、駆動側カバー４８の内側面（右側面）には、円筒状の回転支持環部８３が一体的に突設されている。回転体ギア８２の内周面は、回転支持環部８３の外周面と摺動自在に係合する。この係合によって、回転表示体３９の駆動側は、回転基軸４０を中心として回転自在にケース体３９に支持される。一方、従動側連結環７１の内周面は、回転支持板４９の内周面と摺動自在に係合する。この係合によって、回転表示体３９の従動側も、回転基軸４０を中心として回転自在にケース体３９に支持される。
【００４３】
回転表示体３９の駆動側及び従動側がそれぞれ回転自在にケース体３０に支持された状態で、回転基軸４０は、筒状の表示面部７３の内部を挿通する。回転基軸４０の駆動側は、駆動側連結部７４及び駆動側連結板７１の軸挿通孔９０，９１を非干渉状態で挿通して回転表示体３９の外部へ突出する。回転基軸４０の従動側は、従動側連結部７５の開口孔９２と従動側連結環７２の内径部分とを非干渉状態で挿通して回転表示体３９の外部へ突出する。
【００４４】
隣接する表示面部７３間の境界部分は、回転基軸４０の軸心Ｓから略等距離で且つ軸心Ｓと略平行な複数（本実施形態例では３本）の直線状の稜線部８４を形成する。稜線部８４によって区画される各図柄表示面７０ａは、軸心Ｓから稜線部８４までの距離よりも長い曲率半径を有する（軸心Ｓを中心として３つの稜線部８４を通る円よりも曲率が小さい）曲面状に形成されている。すなわち、本実施形態例の回転表示体３９の表示面部７３は、円筒と三角筒との中間形状（円筒を三角筒へ徐々に変形させる際の途中形状）である。
【００４５】
モータ４４は、複数（本形態例では２本）のビス８５によってベースカバー４７のギアカバー部５２の外側面（左側面）に締結固定される。モータ４４の駆動軸４４ａは、ギアカバー部５２の駆動軸挿通孔（図示省略）を挿通してギア収容空間５５へ延びる（図１２参照）。ギア機構４５は、モータ４４の駆動軸４４ａに固定されるモータギア８６と、駆動側カバー４８の内側面（右側面）に突設されたギア支持軸部８７（図５参照）に回転自在に支持される中間ギア８８と、回転表示体３９の回転体ギア８２とから構成される。中間ギア８８は、モータギア８６及び回転体ギア８２と噛み合い、モータ４４の回転駆動がモータギア８６及び中間ギア８８を回転体ギア８２へ伝達され、モータ４４による回転表示体３９の回転駆動及び停止が可能となる。
【００４６】
回転表示体３９の内部の回転基軸４０には、配線基板取付部材６１が固定される。配線基板取付部材６１は、左右両端に固定板部６２を一体的に有し、固定板部６２には、回転基軸４０が挿通されて回転方向に係合する六角形状の軸係合孔６３が形成されている。従動側（右側）の固定板部６２には、回転支持板４９に形成された係合孔６４に挿入されて係合する係合突起６５が突設されている。軸係合孔６３が回転基軸４０に係合し、係合突起６５が係合孔６４に係合することによって、回転基軸４０に対する配線基板取付部材６１の回転が阻止される。配線基板取付部材６１の軸方向の移動は、回転支持板４９と、回転基軸４０の所定位置に嵌合されるワッシャリング６６とによって阻止され、配線基板取付部６１は、回転不能な状態で所定位置に保持される（図７参照）。
【００４７】
配線基板４１は、回転基軸４０の後方で、回転基軸４０の軸心Ｓと略平行で且つ略鉛直方向に起立した姿勢で、複数（本形態例では２本）のビス６７によって配線基板取付部材６１に締結固定される。
【００４８】
８個のＬＥＤ４２は、回転基軸４０の軸心Ｓよりも後方に配置されて配線基板４１の前面４１ａ上に実装され、前方の表示面部７３の内面へ向けて光を照射する（図７参照）。配線基板４１の前面４１ａは、前方から視て回転基軸４０及び配線基板取付部材６１と重なる重複領域６８と、重複領域６８を挟む上下両側に位置し、前方から視て回転基軸４０及び配線基板取付部材６１と重ならない非重複領域６９とを有し（図１１参照）、８個のＬＥＤ４２は、上下の非重複領域６９にそれぞれ４個ずつ、軸方向（左右方向）に沿って略等間隔に上下交互に千鳥状（ジグザグ状）に配置される（図１０参照）。
【００４９】
配線基板４１には、ＬＥＤ４２の実装領域から従動側へ延びる延長部９３が一体形成されている（図５参照）。延長部９３は、回転表示体３９の従動側端部の開口孔９２、従動側連結環７２の内径部分、回転支持板４９に形成された開口窓９５、及び従動側内カバー部５３に形成された開口窓９６挿通する。延長部９３の先端部である延長端部９４は、回転表示体３９及びケース体３８の外部へ延び、役物装置ユニット２６から露出する。
【００５０】
フォトセンサ４６は、回転表示体３９の従動側連結環７２の内側に配置され、配線基板４１の延長部９３の後面４１ｂ上に実装される。従動側連結環７２には、フォトセンサ４６の検出対象となる被検出部８５が突設され、被検出部８５の回転軌跡の一部にフォトセンサ４６の光路が配置されている。回転表示体３９の回転に伴って被検出部８５がフォトセンサ４６の光路内に到達する（フォトセンサ４６の発光素子と受光素子との間に達する）と、光検出センサ４６の光路が被検出部８５によって遮られて受光素子が光の遮断を検出し、その検出信号に基づいて回転表示体３９の初期位置が検出される。
【００５１】
配線基板４１の延長端部９４の後面４１ｂ上には、基板コネクタ（コネクタ）１００が実装され、基板コネクタには、電力供給線１０１の先端及び信号線１０２の先端に固定された端子コネクタ１０３が着脱可能に接続される（図７参照）。電力供給線１０１を介して、配線基板４１（ＬＥＤ４２やフォトセンサ４６等）に電力が供給され、信号線１０２を介して、フォトセンサ４６の検出信号の送信やＬＥＤ４２の発光制御信号の受信が行われる。従動側外カバー５０には、基板コネクタ１００（延長端部９４）の前方及び上下を覆うコネクタカバー部９７が形成されている。本実施形態例の発光制御では、任意の分割ドラム７０が配線基板４１の前方で停止したとき、各ＬＥＤ４２からの光がその分割ドラム７０の図柄表示面５６ａの裏側に向けて照射されるようになっている。
【００５２】
なお、役物装置ユニット２６が装飾枠２５の所定位置に固定された状態で、役物装置ユニット２６のコネクタカバー部９７（配線基板４１の延長端部９４の基板コネクタ１００）は、装飾枠２５の一部を構成する意匠２５ｂによって覆われる（図６及び図７参照）。これにより、遊技者からの見栄えが向上する。
【００５３】
このように構成された遊技機（パチンコ機）において、通常、役物装置ユニット２６は非動作状態に維持されており、回転表示体３９は所定又は任意の初期位置で停止し、ＬＥＤ４２は消灯した状態となっている。
【００５４】
この状態でモータ４４を駆動すると、モータ４４の回転がギア機構４５を介して回転表示体３９に伝達され、回転表示体３９が回転基軸４０の軸心Ｓを中心として回転する。この場合、モータ４４の回転を制御することにより、それまでベースカバー４７の前方開口からに露出していた任意の分割ドラム７０の代わりに別の分割ドラム７０をベースカバー４７から露出させたり、回転表示体３９を正逆両方向へ微小回転してベースカバー４７からに露出する分割ドラム７０を小刻みに震わせる等の可動演出を行うことができる。なお、フォトセンサ４６によって回転表示体３９の初期位置が検出されるため、フォトセンサ４６の検知信号に基づいてモータ４４の回転量を正確に制御することができる。
【００５５】
また、回転表示体３９の回転中や停止時に配線基板４１上に実装された各ＬＥＤ４２を点灯すると、ＬＥＤ４２の光が配線基板４１の前方に位置する分割ドラム７０の図柄表示面７０ａに対して裏面側（内側）から照射され、この光は図柄表示面７０ａの光透過領域を通過して前方へ出射される。その際、配線基板４１が回転基軸４０の軸心Ｓよりも後方に配置されているため、配線基板４１上のＬＥＤ４２が各分割ドラム７０の図柄表示面７０ａに対して離れた位置に配置されることになり、リフレクタを別途設けることなく、図柄表示面７０ａを均一の輝度で照光することができる。
【００５６】
また、分割ドラム７０における図柄表示面７０ａの内表面の任意箇所にレンズカット形状の凹凸部８１が形成されており、図柄表示面７０ａの内表面に向かうＬＥＤ４２の光が凹凸部８１で屈折されて前方へ出射されるため、図柄表示面７０ａの任意箇所をギラツキ感のある光で照光することができる。
【００５７】
以上説明したように、本実施形態例に係る役物装置ユニット２６では、複数のＬＥＤ４２が発光して前方の表示面部７３の内面へ向けて光を照射すると、筒状の表示面部７３のうち前側に位置する分割ドラム７０の図柄表示面７０ａが内側から照光されて面発光する。ここで、複数のＬＥＤ４２は、回転基軸４０の軸心Ｓよりも後方に配置されているので、複数のＬＥＤ４２を軸心Ｓよりも前方に配置した場合に比べて、ＬＥＤ４２から前方の図柄表示面７０ａまでの距離を長く設定することができる。例えば、ＬＥＤ４２を回転基軸４０よりも後方に配置した場合、ＬＥＤ４２から前方の図柄表示面７０ａまでの距離を、少なくとも回転基軸４０の軸径分以上長く設定することができる。従って、役物装置ユニット２６の配置場所に前後方向のスペース上の余裕が少ない等の理由から小径の回転表示体３９を用いなければならない場合であっても、ＬＥＤ４２から前方の図柄表示面７０ａまでの距離を長く設定することができ、リフレクタを別途設けることなく、図柄表示面７０ａを均一の輝度で面発光させることができる。
【００５８】
また、配線基板４１の前面４１ａ及び後面４１ｂのうち、ＬＥＤ４２が配置されていない後面４１ｂ上にフォトセンサ４６を実装したので、ＬＥＤ４２の発光に起因したフォトセンサ４６の誤検出の発生を防止することができる。
【００５９】
また、電力供給線１０１及び信号線１０２を、回転表示体３９の外部へ延びて役物装置ユニット２６から露出する配線基板４１の延長端部９４の基板コネクタ１００に接続すればよいので、回転表示体３９の内部に配線を行う必要がなく、配線作業性の向上及び構造の簡略化が可能となる。
【００６０】
また、複数の図柄表示面７０ａは、回転基軸４０の軸心Ｓから稜線部８４までの距離よりも長い曲率半径を有しており、稜線部８４を通る円周面よりも平面に近い湾曲面となる。従って、小径の回転表示体３９を用いなければならない場合であっても、視認し易い形態の図柄表示面７０ａを遊技者に提示することができる。
【００６１】
さらに、複数のＬＥＤ４２を配線基板４１のうち回転基軸４０と重ならない非重複領域６９に配置しているので、回転基軸４０の陰にＬＥＤ４２が隠れてしまうことがなく、図柄表示面７０ａを内側から効率良く照光することができる。また、複数のＬＥＤ４２を、上下の非重複領域６９にそれぞれ同数ずつ、軸方向に沿って略等間隔に上下交互に千鳥状（ジグザグ状）に配置しているので、図柄表示面７０ａをより均一な輝度で面発光させることができる。
【００６２】
また、中空構造の回転表示体３９が円筒状に連結された複数の分割ドラム７０からなり、これら各分割ドラム７０がそれぞれ図柄表示面７０ａを有する樹脂成形品であるため、各分割ドラム７０の周面全域を図柄表示面７０ａとして利用することができる。そして、これら分割ドラム７０が外表面に転写箔を有するインモールド成形品からなり、この分割ドラム７０の少なくとも内周面にレンズカット形状の凹凸部８１が形成されているため、多種多様の図柄表示面７０ａを有する分割ドラム７０を容易に成形することができる。しかも、分割ドラム７０の成形品に施されたレンズカット加工によって図柄表示面７０ａのギラツキ感などを適宜調整することが可能となり、様々な発光態様に好適な回転式役物装置を実現することができる。
【００６３】
以上、本発明者によってなされた発明を適用した実施形態例について説明したが、これらの実施形態例による本発明の開示の一部をなす論述及び図面により本発明は限定されることはない。
【００６４】
例えば、上記実施形態例では、３分割した分割ドラム７０を周方向に連続して円筒状の回転表示体３９を構成した場合について説明したが、分割ドラム７０の分割数は３つに限定されず、２分割又は４分割以上であってもよい。
【００６５】
また、回転表示体３９を分割ドラム７０によって分割可能に構成せず、筒状の一体品として形成してもよい。
【００６６】
さらに、ケース体３８の前方開口にシャッタを設け、ケース体３８から前方へ露出する図柄表示面７０ａを遮蔽可能に構成してもよい。
【符号の説明】
【００６７】
６  遊技盤
２３  遊技領域
２４  センター役物
２５  装飾枠
２６  役物装置ユニット（回転式役物装置）
２７  可変表示装置
２７ａ  表示画面
３８  ケース体
３９  回転表示体
４０  回転基軸
４１  配線基板
４１ａ  配線基板の前面
４１ｂ  配線基板の後面
４２  ＬＥＤ（発光体）
４４  モータ
４５  ギア機構
４６  フォトセンサ（光センサ）
４７  ベースカバー
４８  駆動側カバー
４８ａ  駆動側カバーの上部
４８ｂ  駆動側カバーの下部
４９  回転支持板
５０  従動側外カバー
５１  メインカバー部
５２  ギアカバー部
５３  従動側内カバー部
５４，５６，５７，６７，７６，８５  ビス
５５  ギア収容空間
５８，５９，６０，６３  軸係合孔
６１  配線基板取付部材
６２  固定板部
６４  係合孔
６５  係合突起
６６  ワッシャリング
６８  重複領域
６９  非重複領域
７０  分割ドラム
７０ａ  図柄表示面（表示面）
７１  駆動側連結板
７２  従動側連結環
７３  表示面部（透過性表示面部）
７４  駆動側連結部
７５  従動側連結部
７７  位置決め孔
７８  ロック孔
７９  位置決め突起
８０  ロック突起
８１  凹凸部
８２  回転体ギア
８３  回転支持環部
８４  稜線部
８６  モータギア
８７  ギア支持軸部
８８  中間ギア
９０，９１  軸挿通孔
９２  開口孔
９３  配線基板の延長部
９４  配線基板の延長端部（延長部の先端部）
９５、９６  開口窓
９７  コネクタカバー部
１００  基板コネクタ（コネクタ）
１０１  電力供給線
１０２  信号線
１０３  端子コネクタ
Ｓ  回転基軸の軸心
【図１】
2014171491.tif 000003
【図２】
2014171491.tif 000004
【図３】
2014171491.tif 000005
【図４】
2014171491.tif 000006
【図５】
2014171491.tif 000007
【図６】
2014171491.tif 000008
【図７】
2014171491.tif 000009
【図８】
2014171491.tif 000010
【図９】
2014171491.tif 000011
【図１０】
2014171491.tif 000012
【図１１】
2014171491.tif 000013
【図１２】
2014171491.tif 000014
【図１３】
2014171491.tif 000015
【図１４】
2014171491.tif 000016